(57)【要約】【課題】冷暖房能力の取出の他に給湯をできるようにした一二重効用サイクルで運転する排熱投入型吸収冷温水機を提供する。【解決手段】排熱高温再生器ＧＨ、排熱低温再生器ＧＲ、低温再生器Ｇ、凝縮器Ｃ、吸収器Ａ、蒸発器Ｅ及びこれらの機器を接種する溶液流路と冷媒流路とを備えた排熱投入型一二重効用吸収冷温水機において、前記ＧＲ、Ｇ、Ｃの内の少なくとも１つの機器からの冷媒蒸気で昇温する、給湯のための給湯熱交換器ＨＷを付設すると共に、該ＨＷの凝縮液がＣ又は冷媒循環系に戻るように冷媒流路を結んでいるか、及び／又は該ＨＷには、溶液流路の溶液を散布する溶液散布装置を備えていることとしたものであり、前記溶液散布装置に接続する配管には、供給溶液量を調節する溶液流量制御弁を設けることができる。【選択図】　図１
2004085049.tif 000002
【特許請求の範囲】
【請求項１】
排熱高温再生器、排熱低温再生器、低温再生器、凝縮器、吸収器、蒸発器及びこれらの機器を接続する溶液流路と冷媒流路とを備えた排熱投入型一二重効用吸収冷温水機において、前記排熱低温再生器、低温再生器、凝縮器の内の少なくとも１つの機器からの冷媒蒸気で昇温する、給湯のための給湯熱交換器を付設すると共に、該給湯熱交換器の凝縮液が凝縮器又は冷媒循環系に戻るように冷媒流路を結んだことを特徴とする排熱投入型一二重効用吸収冷温水機。
【請求項２】
前記給湯熱交換器には、溶液散布装置を備え、該溶液散布装置と溶液流路とを配管で結んだことを特徴とする請求項１記載の排熱投入型一二重効用吸収冷温水機。
【請求項３】
排熱高温再生器、排熱低温再生器、低温再生器、凝縮器、吸収器、蒸発器及びこれらの機器を接続する溶液流路と冷媒流路とを備えた排熱投入型一二重効用吸収冷温水機において、前記排熱低温再生器、低温再生器、凝縮器の内の少なくとも一つの機器からの冷媒蒸気で昇温する、給湯のための給湯熱交換器を付設すると共に、該給湯熱交換器に溶液散布装置を備え、該溶液散布装置と溶液流路を配管で結んだことを特徴とする排熱投入型一二重効用吸収冷温水機。
【請求項４】
前記溶液散布装置と溶液流路を結ぶ配管には、前記給湯熱交換器への供給溶液量を調節する溶液流量制御弁を設けることを特徴とする請求項２又は３記載の排熱投入型一二重効用吸収冷温水機。
【請求項５】
前記溶液流量制御弁には、給湯温水温度が目標温度になるように該制御弁を調節する制御機構を設けたことを特徴とする請求項４記載の排熱投入型一二重効用吸収冷温水機。
【請求項６】
前記排熱低温再生器、低温再生器、凝縮器の内の少なくとも一つの機器には、前記蒸発器又は吸収器とを結ぶ冷媒蒸気配管を備え、該配管には暖房時に作動する冷暖切替蒸気弁を設けたことを特徴とする請求項１〜５のいずれか１項記載の排熱投入型一二重効用吸収冷温水機。
【請求項７】
請求項１〜６のいずれか１項記載の吸収冷温水機の運転方法において、冷房モード時、暖房モード時それぞれに給湯を可能にすると共に、給湯単独モードをも設けたことを特徴とする排熱投入型一二重効用吸収冷温水機の運転方法。
【発明の詳細な説明】
【０００１】
【発明の属する技術分野】
本発明は、排熱投入型吸収冷温水機に係り、特に、ガスタービン、エンジン等の外部からの排熱を吸収冷温水機の熱源として、冷暖房能力の取出しの他に給湯をできるようにした一二重効用サイクルで運転する排熱投入型吸収冷温水機とその運転方法に関する。
【０００２】
【従来の技術】
排熱高温再生器及び排熱低温再生器に外部の排熱を投入し、冷房を一二重効用サイクルで行う冷凍機で、さらに暖房サイクルも行えるものが、次のように提案されている。
（１）特公昭５７−２０５４３１号公報では、排ガス駆動一二重効用で、暖房時、排熱高温再生器とこれに接続された温水器を、冷暖切替弁で他の機器から切離し、排熱低温再生器には熱源を投入しないで、排熱高温再生器のみに熱源を投入して、温水器から暖房用温水を取出す方式である。
この方式の応用として、温水器の他に給湯熱交換器を、温水器に並列に設ければ冷房時の給湯、暖房時の給湯、給湯単独運転も可能となりそうである。
この方式では、暖房時あるいは給湯単独運転時に排熱低温再生器を切り離すので、本来なら排熱低温再生器で利用できるはずの排熱を利用しないで、排出してしまう欠点があり、また多くの冷暖切替弁（内部系に３弁、排ガス系に２弁）及び暖房用温水器もが必要になっている。
【０００３】
（２）特公昭６０−２５８９号公報では、排ガス駆動一二重効用で、暖房時、排熱高温再生器とこれに接続された温水器及び排熱低温再生器とこれに接続された温水器とを、他の機器から冷暖切替弁で切離し、排熱高温再生器及び排熱低温再生器に熱源を投入して、両温水器から温水を取出す方式である。
この方式の応用として、温水器の他に給湯熱交換器を、温水器に並列に設ければ冷房時の給湯、暖房時の給湯、給湯単独運転も可能となりそうであるが、多くの冷暖切替弁（内部系に６弁）及び温水器２台、給湯器２台が必要になる。
（３）特開平４−２５７６６８号公報では、一二重効用吸収冷温水機で、温水熱交換器を省略して、暖房モード時に温水を蒸発器から取出す方式が説明されている。高温再生器から、冷媒蒸気及び吸収溶液を直接吸収器に導入し、蒸発器で冷媒蒸気を凝縮させている。排熱低温再生器の熱は、蒸発器を出た温水を、該排熱低温再生器と組になる凝縮器に率いて温水に与えている。凝縮器が温水器を兼用しており、特に温水器を追加する必要はないが、切替弁が多いという問題がある。給湯に関する記述はない。
【０００４】
【発明が解決しようとする課題】
本発明は、上記従来技術に鑑み、冷房運転時に、排熱高温再生器及び排熱低温再生器に外部の排熱を投入し一二重効用サイクルを行う吸収冷温水機において、冷暖房と共に給湯を可能とし、さらに給湯単独運転も可能にすることができる排熱投入型吸収冷温水機とその運転方法を提供することを課題とする。
【０００５】
【課題を解決するための手段】
上記課題を解決するために、本発明では、排熱高温再生器、排熱低温再生器、低温再生器、凝縮器、吸収器、蒸発器及びこれらの機器を接続する溶液流路と冷媒流路とを備えた排熱投入型一二重効用吸収冷温水機において、前記排熱低温再生器、低温再生器、凝縮器の内の少なくとも１つの機器からの冷媒蒸気で昇温する、給湯のための給湯熱交換器を付設すると共に、該給湯熱交換器の凝縮液が凝縮器又は冷媒循環系に戻るように冷媒流路を結んだことを特徴とする排熱投入型一二重効用吸収冷温水機としたものである。
前記吸収冷温水機において、給湯熱交換器には、溶液散布装置を備え、該溶液散布装置と溶液流路とを配管で結ぶことができる。
また、本発明では、排熱高温再生器、排熱低温再生器、低温再生器、凝縮器、吸収器、蒸発器及びこれらの機器を接続する溶液流路と冷媒流路とを備えた排熱投入型一二重効用吸収冷温水機において、前記排熱低温再生器、低温再生器、凝縮器の内の少なくとも一つの機器からの冷媒蒸気で昇温する、給湯のための給湯熱交換器を付設すると共に、該給湯熱交換器に溶液散布装置を備え、該溶液散布装置と溶液流路とを配管で結んだことを特徴とする排熱投入型一二重効用吸収冷温水機としたものである。
【０００６】
前記吸収冷温水機において、溶液散布装置と溶液流路を結ぶ配管には、前記給湯熱交換器への供給溶液量を調節する溶液流量制御弁を設けることができ、前記前記溶液流量制御弁には、給湯温水温度が目標温度になるように該制御弁を調節する制御機構を設けるのがよく、また、前記排熱低温再生器、低温再生器、凝縮器の内の少なくとも一つの機器には、前記蒸発器又は吸収器とを結ぶ冷媒蒸気配管を備え、該配管には暖房時に作動する冷暖切替蒸気弁を設けることができる。また、本発明では、吸収冷温水機の運転方法において、冷房モード時、暖房モード時それぞれに給湯を可能にすると共に、給湯単独モードをも設けたことを特徴とする排熱投入型一二重効用吸収冷温水機の運転方法としたものである。
【０００７】
【発明の実施の形態】
本発明は、次の３種類の運転モードを持つ。
冷房運転時：冷房用冷水と給湯
暖房運転時：暖房用温水と給湯
給湯単独運転時：給湯
給湯は、洗面用、台所用、冷房中の一部の部屋の暖房用、あるいはガスタービンやガスエンジンの燃料（液化ガス）の加熱（気化）などに用いる。
次に、本発明を冷媒に水、吸収溶液に無機塩類水溶液を用いた吸収冷温水機を対象として説明する。
冷房サイクル時の給湯では、凝縮器の冷媒蒸気が、給湯（温水）に熱を与える。なお、冷房時には、給湯熱交換器に溶液は散布しない。
暖房サイクルでは、冷却水は流さないで運転し、排熱低温再生器及び低温再生器で発生する冷媒蒸気を、冷暖切替冷媒弁を通して吸収器、蒸発器に導き、蒸発器を通る（暖房用）温水に凝縮熱を与える。
【０００８】
給湯熱交換器では、凝縮器の冷媒蒸気が、給湯（温水）に熱を与えて凝縮する。なお、蒸発器伝熱面に吸収溶液を散布して、前記冷媒蒸気を吸収させ、温水を加熱させてもよい。
給湯は、凝縮器の冷媒蒸気を給湯熱交換器で凝縮させてもよいし、蒸発器と同様に給湯熱交換器にも吸収溶液を散布して、凝縮器の冷媒蒸気を吸収させてもよい。
給湯単独サイクルでは、冷温水及び冷却水は流さない。排熱低温再生器及び低温再生器で発生する冷媒蒸気を、給湯（温水）に熱を与えて凝縮させる。又は、給湯熱交換器にも吸収溶液を散布して、冷媒蒸気を吸収させてもよい。
凝縮器と吸収器・蒸発器との間の冷暖切替蒸気弁は開にしておく。吸収器側の溶液の冷媒蒸気が給湯温水器の方に流れ、溶液が冷却される。
【０００９】
次に、本発明を、図面を用いて詳細に説明する。
図１〜図８は、本発明に用いる吸収冷温水機のフロー構成図である。
図において、Ａは吸収器、Ｇは低温再生器、ＧＨは排熱高温再生器、ＧＲは排熱低温再生器、Ｃは凝縮器、Ｅは蒸発器、Ｘは低温熱交換器、ＸＨは高温熱交換器、ＳＰは溶液ポンプ、ＲＰは冷媒ポンプ、ＨＷは給湯熱交換器、Ｖ１〜Ｖ６は弁、１は排ガス、２は冷温水、３は給湯温水、４、５は冷却水、１１〜１９は溶液流路、２１〜２７は冷媒流路である。
このように、本発明では、吸収器Ａ、蒸発器Ｅ、低温再生器Ｇ、凝縮器Ｃを一つの角型缶胴に収め、この缶胴とは別に、高温排熱を熱源とする排熱高温再生器ＧＨと排熱低温再生器ＧＲと溶液熱交換器ＸＨ、Ｘが配備されている。そして、この缶胴の吸収器Ａ及び低温再生器Ｇと、排熱高温再生器ＧＨ、排熱低温再生器ＧＲとは、それぞれ溶液流路及び冷媒流路で接続されている。また、給湯熱交換器ＨＷが、図１〜図４では、凝縮器Ｃの冷媒蒸気を用い、図５と図６では、低温再生器ＧＬの冷媒蒸気を用い、また、図７と図８では、排熱低温再生器ＧＲの冷媒蒸気を用いて、それぞれ加熱されるように構成されている。
【００１０】
次に、図１について説明すると、図１では、排熱として、ガスタービン、ガスエンジンなどからの排ガスを、先ず排熱高温再生器、次いで排熱低温再生器に導いて熱源としている。
冷房運転においては、弁Ｖ１、Ｖ２、Ｖ３、Ｖ４を閉止して、冷房サイクルを行う。
吸収器Ａからの希溶液は、流路１１から低温熱交換器Ｘの被加熱側を通った後、分岐して一部を排熱低温再生器ＧＲに導いて排ガス１で加熱濃縮し、濃縮液は流路１４、１５から低温熱交換器Ｘの加熱側に戻す。発生した冷媒蒸気は、流路２２から直接あるいは低温再生器Ｇ経由で凝縮器Ｃに導く。吸収器Ａから流路１１を通り、分岐した残りの希溶液は、高温熱交換器ＸＨの被加熱側を通った後、排熱高温再生器ＧＨに導き、排ガス１で加熱濃縮する。濃縮された溶液は、流路１２から高温熱交換器ＸＨの加熱側を通した後、低温再生器Ｇに導き、先程の排熱高温再生器ＧＨで発生した冷媒蒸気で加熱濃縮する。排熱高温再生器ＧＨからの冷媒蒸気は、流路２１から低温再生器Ｇの加熱側で凝縮して冷媒液となり、凝縮器Ｃに導かれる。低温再生器Ｇ及び排熱低温再生器ＧＲで発生した冷媒蒸気は、凝縮器Ｃにて冷却されて凝縮し冷媒液となる。
【００１１】
低温再生器Ｇで濃縮された濃溶液は、流路１３から流路１４の排熱低温再生器ＧＲの濃溶液と共に、流路１５から低温熱交換器Ｘの加熱側を経由して吸収器Ａに散布される。
凝縮器Ｃの冷媒液は、流路２３から蒸発器Ｅに導かれる。蒸発器Ｅで、冷媒液は冷水２から熱を奪い、冷凍効果を出すと共に自らは蒸発して、吸収器Ａの溶液に吸収される。吸収器Ａ、凝縮器Ｃは、冷却水４、５で冷却される。
給湯熱交換器ＨＷでは、給湯温水の温度が低いとき、凝縮器Ｃあるいは凝縮器Ｃとほぼ同じ圧力の冷媒蒸気が凝縮し、給湯温水に熱を与える。なお、給湯温水は、全てこの給湯熱交換器ＨＷで加熱しておくとは限らず、予熱をここで行い、使用部で温度を上げるなどの方法が取られる。
また、液化ガスの加熱には、２０〜３０℃の温度があれば利用できるので、そのまま利用が可能である。
図１で、給湯熱交換器ＨＷを凝縮器Ｃの缶胴に直接取付けているが、図２のように、配管で接続しても差し支えない。また、次の図３〜図４においても同様に、図２のように配管で接続してもよい。
【００１２】
暖房運転においては、　弁Ｖ１、Ｖ２、Ｖ３を開にし、冷却水４、５は流さないで、暖房サイクルを行う。
なお、弁Ｖ４は、開閉どちらでも運転可能である。
吸収器Ａからの希溶液は、低温熱交換器Ｘの被加熱側を通った後、分岐して一部を排熱低温再生器ＧＲに導いて排ガスで加熱濃縮し、濃縮液は低温熱交換器Ｘの加熱側に戻す。発生した冷媒蒸気は、Ｖ１を通り、直接あるいは吸収器Ａ経由で蒸発器Ｅに導く。吸収器Ａからの、分岐した残りの希溶液は、高温熱交換器ＸＨの被加熱側を通った後、排熱高温再生器ＧＨに導き、排ガスで加熱濃縮する。濃縮された溶液は、高温熱交換器ＸＨの加熱側を通した後、低温再生器Ｇに導き、先程の排熱高温再生器ＧＨで発生した冷媒蒸気で加熱濃縮する。排熱高温再生器ＧＨからの冷媒蒸気は、低温再生器Ｇの加熱側で凝縮して冷媒液となり、凝縮器Ｃ経由で蒸発器Ｅに入る。
【００１３】
低温再生器Ｇで濃縮された濃溶液は、排熱低温再生器ＧＲの濃溶液と共に、低温熱交換器Ｘの加熱側を経由して流路１６から弁Ｖ２を通り蒸発器Ｅに入り、冷媒ポンプＲＰで蒸発器Ｅに散布される。
低温再生器Ｇで発生した冷媒蒸気は、流路２５から弁Ｖ１を通り、先程の排熱低温再生器ＧＲからの冷媒蒸気と共に蒸発器Ｅに導かれ、冷媒ポンプＲＰで散布される溶液に吸収され、蒸発器Ｅを通る温水２を加熱する。
冷媒を吸収した溶液は、凝縮器Ｃから戻ってくる冷媒液と混合されて、弁Ｖ３を通って吸収器Ａに戻る。
給湯熱交換器ＨＷでは、凝縮器Ｃあるいは凝縮器Ｃとほぼ同じ圧力の冷媒蒸気が凝縮し、給湯温水に熱を与える。あるいは、弁Ｖ４を開にして、溶液を散布し冷媒蒸気を吸収しながら、給湯温水を加熱してもよい。弁Ｖ４の開閉は、取出す給湯温水の目標温度によって決めればよい。給湯熱交換器ＨＷで凝縮した冷媒液あるいは冷媒蒸気を吸収した溶液は、凝縮器Ｃ経由で蒸発器Ｅに入る。
【００１４】
給湯単独運転では、弁Ｖ１、Ｖ３を開にし、冷媒ポンプＲＰ停止、冷温水２、冷却水４、５は流さないで、給湯サイクルを行う。
なお、弁Ｖ２、Ｖ４は、開閉どちらでも運転可能である。
吸収器Ａからの希溶液は、低温熱交換器Ｘの被加熱側を通った後、分岐して一部を排熱低温再生器ＧＲに導いて排ガスで加熱濃縮し、濃縮液は低温熱交換器Ｘの加熱側に戻す。発生した冷媒蒸気は直接あるいは凝縮器Ｃ経由で給湯熱交換器ＨＷに導く。分岐した残りの希溶液は、高温熱交換器ＸＨの被加熱側を通った後、排熱高温再生器ＧＨに導き、排ガスで加熱濃縮する。濃縮された溶液は、高温熱交換器ＸＨの加熱側を通した後、低温再生器Ｇに導き、排熱高温再生器ＧＨで発生した冷媒蒸気で加熱濃縮する。排熱高温再生器ＧＨからの冷媒蒸気は、低温再生器Ｇの加熱側で凝縮して冷媒液となり、凝縮器Ｃ経由で蒸発器Ｅに入る。
【００１５】
低温再生器Ｇで濃縮された濃溶液は、排熱低温再生器ＧＲの濃溶液と共に、低温熱交換器Ｘの加熱側を経由して吸収器Ａ（弁Ｖ２閉）又は蒸発器Ｅ（弁Ｖ２開）に入る。
低温再生器Ｇで発生した冷媒蒸気は、先程の排熱低温再生器ＧＲからの冷媒蒸気と共に給湯熱交換器ＨＷに入る。冷媒蒸気は、凝縮（Ｖ４：閉）あるいは、吸収（弁Ｖ４：開）され、給湯温水を加熱する。
給湯熱交換器ＨＷの凝縮液あるいは溶液は、凝縮器Ｃ経由で蒸発器Ｅに導かれ、弁Ｖ３を通って吸収器Ａに戻る。
吸収器Ａあるいは蒸発器Ｅに戻る溶液温度が高い時、弁Ｖ１を通して、吸収器側から給湯熱交換器ＨＷに冷媒蒸気が流れる。
弁Ｖ１、Ｖ２、Ｖ３、Ｖ４を冷暖切替弁、として用いているが、弁Ｖ３をなくして蒸発器Ｅの液がオーバーフローして吸収器Ａに戻るよりにしてもよいし、弁Ｖ２はなくしても運転は可能であり、冷暖切替方式は各種存在する。
【００１６】
図２は、吸収器からの溶液を、低温熱交換器Ｘの被加熱側を出た後、分岐し、一部を排熱低温再生器ＧＲに、残りの部分を高温熱交換器ＸＨの被加熱側を経由して、排熱高温再生器ＧＨに導いている。
排熱高温再生器ＧＨで加熱濃縮された溶液は、高温熱交換器ＸＨの加熱側を経由して、低温再生器Ｇに導かれ、排熱高温再生器ＧＨで発生した冷媒蒸気で加熱濃縮される。
排熱低温再生器ＧＲで加熱濃縮された溶液及び低温再生器Ｇで加熱濃縮された溶液は、低温熱交換器Ｘの加熱側に接続されている。
低温熱交換器Ｘの加熱側を出た溶液は、冷房時は吸収器Ａに散布され、暖房時は弁Ｖ２を経由して蒸発器Ｅに散布される。弁Ｖ１は、冷房時閉、暖房時開とする。
冷暖切替の弁動作、機器動作は図１と同じである。
【００１７】
図３は、吸収器Ａからの溶液を、低温熱交換器Ｘの被加熱側を出た後、分岐し、一部を低温再生器Ｇに残りの部分を高温熱交換器ＸＨの被加熱側を経由して、排熱高温再生器ＧＨに導いている。
低温再生器Ｇで加熱濃縮された溶液は、排熱低温再生器ＧＲに導かれ、排熱で加熱濃縮された後、低温熱交換器Ｘの加熱側に接続されている。排熱高温再生器ＧＨで加熱濃縮された溶液は、高温熱交換器ＸＨの加熱側を経由して、低温熱交換器Ｘの加熱側に接続されている。
低温熱交換器Ｘの加熱側を出た溶液は、冷房時は吸収器に散布され、暖房時は弁Ｖ２を経由して蒸発器Ｅに散布される。弁Ｖ１は、冷房時は閉、暖房時は開とする。
冷暖切替の弁動作、機器動作は図１と同じである。
給湯は、図１と同様である。
【００１８】
図４は、吸収器Ａからの溶液を、低温熱交換器Ｘの被加熱側を出た後、三方向に分岐し、一部を低温再生器Ｇに、残りの一部を排熱低温再生器ＧＲに導き、残りの部分を高温熱交換器ＸＨの被加熱側を経由して、排熱高温再生器ＧＨに導いている。
低温再生器Ｇで加熱濃縮された溶液及び排熱低温再生器ＧＲで加熱濃縮された溶液は、低温熱交換器Ｘの加熱側に接続されている。排熱高温再生器ＧＨで加熱濃縮された溶液は、高温熱交換器ＸＨの加熱側を経由して、低温熱交換器Ｘの加熱側に接続されている。
低温熱交換器Ｘの加熱側を出た溶液は、冷房時は吸収器Ａに散布され、暖房時は弁Ｖ２を経由して蒸発器Ｅに散布される。弁Ｖ１は、冷房時は閉、暖房時は開とする。
冷暖切替の弁動作、機器動作は図１と同じである。
給湯は、図２と同様である。
【００１９】
図５において、冷房運転では、弁Ｖ１、Ｖ２、Ｖ３を閉止して、冷房サイクルを行う。
吸収器Ａからの希溶液は、流路１１から低温熱交換器Ｘの被加熱側を通った後、三方向に分岐して、一部を排熱低温再生器ＧＲに導いて排ガスで加熱濃縮し、残りの一部は低温再生器Ｇに導き排熱高温再生器ＧＨからの冷媒蒸気で加熱濃縮する。
吸収器Ａからの分岐した残りの希溶液は、高温熱交換器ＸＨの被加熱側を通った後、排熱高温再生器ＧＨに導き、排ガスで加熱濃縮する。濃縮された溶液は、流路１２から高温熱交換器ＸＨの加熱側を通した後、前述の排熱低温再生器ＧＲで濃縮された溶液及び低温再生器Ｇで濃縮された溶液と共に、流路１５から低温熱交換器Ｘの加熱側に導き、低温熱交換器Ｘで熱回収され、温度が低下した状態で吸収器Ａに散布される。
【００２０】
排熱高温再生器ＧＨ発生した流路２１からの冷媒蒸気は、低温再生器Ｇの加熱側で凝縮して冷媒液となり、凝縮器Ｃに導かれる。低温再生器Ｇ及び排熱低温再生器ＧＲで発生した冷媒蒸気は、凝縮器Ｃにて冷却されて凝縮し冷媒液となる。凝縮器Ｃの冷媒液は、流路２３から蒸発器Ｅに導かれる。蒸発器Ｅで、冷媒液は冷水２から熱を奪い、冷凍効果を出すと共に自らは蒸発して、吸収器Ａの溶液に吸収される。吸収器Ａ、凝縮器Ｃは、冷却水４、５で冷却される。
給湯熱交換器ＨＷには、給湯用温水３が制御弁Ｖ５（三方弁など）で導かれ、散布されている溶液から熱を受けて加熱される。
【００２１】
暖房運転では、弁Ｖ１、Ｖ２、Ｖ３を開にし、冷却水４、５は流さないで、暖房サイクルを行う。
吸収器Ａからの希溶液は、低温熱交換器Ｘの被加熱側を通った後、三方向に分岐して、一部を排熱低温再生器ＧＲに導いて排ガスで加熱濃縮し、残りの一部は低温再生器Ｇに導き排熱高温再生器ＧＨからの冷媒蒸気で加熱濃縮する。
吸収器Ａからの、分岐した残りの希溶液は、高温熱交換器ＸＨの被加熱側を通った後、排熱高温再生器ＧＨに導き、排ガスで加熱濃縮する。濃縮された溶液は、高温熱交換器ＸＨの加熱側を通した後、前述の排熱低温再生器ＧＲで濃縮された溶液及び低温再生器Ｇで濃縮された溶液と共に、低温熱交換器Ｘの加熱側を経由して、流路１６から弁Ｖ２を通り蒸発器Ｅに入り、冷媒ポンプＲＰで蒸発器Ｅに散布される。
【００２２】
低温再生器Ｇで発生した冷媒蒸気は、流路２５から弁Ｖ１を通り、先程の排熱低温再生器ＧＲからの冷媒蒸気と共に蒸発器Ｅに導かれ、冷媒ポンプＲＰで散布される溶液に吸収され、蒸発器Ｅを通る温水を加熱する。
排熱高温再生器ＧＨで発生した冷媒蒸気は、低温再生器Ｇの加熱側で凝縮して冷媒液となり、凝縮器Ｃ経由で蒸発器Ｅに入る。
蒸発器Ｅで、冷媒を吸収した溶液は、凝縮器Ｃから戻ってくる冷媒液と混合されて、弁Ｖ３を通って吸収器Ａに戻る。
給湯熱交換器ＨＷには、給湯用温水が制御弁Ｖ５（三方弁など）で導かれ、散布されている溶液から熱を受けて、加熱される。
弁Ｖ１、Ｖ２、Ｖ３を冷暖切替弁として用いているが、弁Ｖ３をなくして蒸発器Ｅの液がオーバーフローして吸収器Ａに戻るようにしてもよいし、弁Ｖ２はなくしても運転は可能であり、冷暖切替方式は各種存在する。
【００２３】
給湯単独運転では、弁Ｖ１、Ｖ３を開にし、冷媒ポンプＲＰ停止、冷温水２、冷却水４、５は流さないで、給湯サイクルを行う。
なお、弁Ｖ２は、開閉どちらでも運転可能である。
吸収器Ａからの希溶液は、低温熱交換器Ｘの被加熱側を通った後、三方向に分岐して、一部を排熱低温再生器ＧＲに導いて排ガスで加熱濃縮し、残りの一部は低温再生器Ｇに導き排熱高温再生器ＧＨからの冷媒蒸気で加熱濃縮する。
吸収器Ａからの、分岐した残りの希溶液は、高温熱交換器ＸＨの被加熱側を通った後、排熱高温再生器ＧＨに導き、排ガスで加熱濃縮する。濃縮された溶液は、高温熱交換器ＸＨの加熱側を通した後、前述の排熱低温再生器ＧＲで濃縮された溶液及び低温再生器Ｇで濃縮された溶液と共に、低温熱交換器Ｘの加熱側を経由して、吸収器Ａ又は蒸発器Ｅに戻る。
【００２４】
排熱高温再生器ＧＨで発生した冷媒蒸気は、低温再生器Ｇの加熱側で凝縮して冷媒液となり、凝縮器Ｃ及び蒸発器Ｅ経由で弁Ｖ３を通って吸収器Ａに戻る。
給湯熱交換器ＨＷで、給湯用温水は散布されている溶液から熱を受けて加熱される。負荷対応は排熱再生器に導く熱源の排ガス量の調節で行う。なお、温水制御弁Ｖ５は全開とし、給湯熱交換器ＨＷに温水を導く。
図６では、低温再生器Ｇの圧力レベルの機器である低温再生器、排熱低温再生器、凝縮器からの冷媒蒸気を給湯熱交換器ＨＷに導き、給湯負荷に合わせて、給湯熱交換器ＨＷに散布する溶液量を調節している。
給湯単独運転は、図５と同じように、弁Ｖ１、Ｖ３を開にし、冷媒ポンプＲＰ停止、冷温水２、冷却水４、５は流さないで給湯サイクルを行う。弁Ｖ４は全開とする。
【００２５】
図７では、冷房運転は、弁Ｖ１、Ｖ２、Ｖ３を閉止して、冷房サイクルを行う。
吸収器Ａからの希溶液は、低温熱交換器Ｘの被加熱側を通った後、分岐して一部を排熱低温再生器ＧＲに導いて排ガスで加熱濃縮し、濃縮液は低温熱交換器Ｘの加熱側に戻す。発生した冷媒蒸気は、直接あるいは低温再生器Ｇ経由で凝縮器Ｃに導く。吸収器Ａからの分岐した残りの希溶液は、高温熱交換器ＸＨの被加熱側を通った後、排熱高温再生器ＧＨに導き、排ガスで加熱濃縮する。
濃縮された溶液は、高温熱交換器ＸＨの加熱側を通した後、低温再生器Ｇに導き、先程の排熱高温再生器ＧＨ発生した冷媒蒸気で加熱濃縮する。排熱高温再生器ＧＨからの冷媒蒸気は低温再生器Ｇの加熱側で凝縮して冷媒液となり、凝縮器Ｃに導かれる。低温再生器Ｇ及び排熱低温再生器ＧＲで発生した冷媒蒸気は、凝縮器Ｃにて冷却されて凝縮し冷媒液となる。
【００２６】
低温再生器Ｇで濃縮された濃溶液は、排熱低温再生器ＧＲの濃溶液と共に、低温熱交換器Ｘの加熱側を経由して吸収器Ａに散布される。
凝縮器Ｃの冷媒液は、蒸発器Ｅに導かれる。蒸発器Ｅで、冷媒液は冷水２から熱を奪い、冷凍効果を出すと共に自らは蒸発して、吸収器Ａの溶液に吸収される。吸収器Ａ、凝縮器Ｃは冷却水４、５で冷却される。
給湯熱交換器ＨＷを、排熱低温再生器ＧＲ部に設け、給湯温水の負荷（温度などで検出）に合せ、給湯熱交換器ＨＷに散布する溶液量をＶ４で調節する。溶液の取出位置を吸収器出口としているが、別の位置からでも差支えない。
【００２７】
暖房運転では、　弁Ｖ１、Ｖ２、Ｖ３を開にし、冷却水４、５は流さないで、暖房サイクルを行う。
吸収器Ａからの希溶液は、低温熱交換器Ｘの被加熱側を通った後、分岐して一部を排熱低温再生器ＧＲに導いて排ガスで加熱濃縮し、濃縮液は低温熱交換器Ｘの加熱側に戻す。発生した冷媒蒸気はＶ１を通り、直接あるいは吸収器Ａ経由で蒸発器Ｅに導く。吸収器Ａからの、分岐した残りの希溶液は、高温熱交換器ＸＨの被加熱側を通った後、排熱高温再生器ＧＨに導き、排ガスで加熱濃縮する。濃縮された溶液は、高温熱交換器ＸＨの加熱側を通した後、低温再生器Ｇに導き、先程の排熱高温再生器ＧＨ発生した冷媒蒸気で加熱濃縮する。排熱高温再生器ＧＨからの冷媒蒸気は、低温再生器Ｇの加熱側で凝縮して冷媒液となり、凝縮器Ｃ経由で蒸発器に入る。
低温再生器Ｇで濃縮された濃溶液は、排熱低温再生器ＧＲの濃溶液と共に、低温熱交換器Ｘの加熱側を経由して弁Ｖ２を通り蒸発器Ｅに入り、冷媒ポンプＲＰで蒸発器Ｅに散布される。
【００２８】
低温再生器Ｇで発生した冷媒蒸気は、弁Ｖ１を通り、先程の排熱低温再生器ＧＲからの冷媒蒸気と共に蒸発器Ｅに導かれ、冷媒ポンプＲＰで散布される溶液に吸収され、蒸発器Ｅを通る温水を加熱する。
冷媒を吸収した溶液は、凝縮器Ｃから戻ってくる冷媒液と混合されて、弁Ｖ３を通って吸収器Ａに戻る。
給湯熱交換器ＨＷには、給湯温水の負荷（温度などで検出）に合せて溶液が散布される。
給湯単独運転では、弁Ｖ１、Ｖ３、Ｖ４を開にし、冷媒ポンプＲＰ停止、冷温水２、冷却水４、５は流さないで、給湯サイクルを行う。
なお、弁Ｖ２は、開閉どちらでも週転可能である。
給湯熱交換器ＨＷで、給湯用温水は散布されている溶液から熱を受けて加熱される。負荷対応は、排熱再生器に導く熱源の排ガス量の調節で行う。
【００２９】
図８では、給湯熱交換器ＨＷへの溶液の供給を、制御弁Ｖ６のバイパス制御で行った例である。
弁Ｖ６を全開にすると、溶液散布がなくなり、全閉にすると全量散布になる。
また給湯熱交換器ＨＷの容器を別に設けている。
溶液のフローなどは図７と同じである。
本発明では、前記した溶液のフロー図面で示した以外の一二重効用サイクルフローに対しても適用できる。
また、排熱よりも、多くの出力も対応する装置として、直火焚きの高温再生器を付加することもできる。この場合、排熱が要求出力を満足する内は排熱のみで運転し、不充分のときに高温再生器で追焚きをすることになる。
図１〜図８において、見易くするために、ＧＨ及びＧＲの溶液の流れが、排ガスと平行に流れるように示しているが、溶液と排ガスとは対向流とする方はよい。
【００３０】
【発明の効果】
本発明によれば、冷房運転、暖房運転時に、給湯を可能とし、さらに給湯単独運転もできる外部の排熱を投入して一二重効用サイクルを行う吸収冷温水機を提供できた。
【図面の簡単な説明】
【図１】本発明に用いる吸収冷温水機の一例を示すフロー構成図。
【図２】本発明に用いる吸収冷温水機の他の例を示すフロー構成図。
【図３】本発明に用いる吸収冷温水機の他の例を示すフロー構成図。
【図４】本発明に用いる吸収冷温水機の他の例を示すフロー構成図。
【図５】本発明に用いる吸収冷温水機の他の例を示すフロー構成図。
【図６】本発明に用いる吸収冷温水機の他の例を示すフロー構成図。
【図７】本発明に用いる吸収冷温水機の他の例を示すフロー構成図。
【図８】本発明に用いる吸収冷温水機の他の例を示すフロー構成図。
【符号の説明】
Ａ：吸収器、Ｇ：低温再生器、ＧＨ：排熱高温再生器、ＧＲ：排熱低温再生器、Ｃ：凝縮器、Ｅ：蒸発器、Ｘ：低温熱交換器、ＸＨ：高温熱交換器、ＳＰ：溶液ポンプ、ＲＰ：冷媒ポンプ、ＨＷ：給湯熱交換器、Ｖ１〜Ｖ６：弁、１：排ガス、２：冷温水、３：給湯温水、４、５：冷却水、１１〜１９：溶液流路、２１〜２７：冷媒流路
【図１】
2004085049.tif 000003
【図２】
2004085049.tif 000004
【図３】
2004085049.tif 000005
【図４】
2004085049.tif 000006
【図５】
2004085049.tif 000007
【図６】
2004085049.tif 000008
【図７】
2004085049.tif 000009
【図８】
2004085049.tif 000010